(57)【要約】【課題】特に迅速な折畳収合ができ同時に携帯及び収納の便利な構造設計を指し、一般の戸外バーベキューレジャー活動に従事する時、更に実用的で便利な効果を提供すること。【解決手段】主要なものは台座１０・２個の外隔離板２０・火床３０・上枠４０及び網枠５０等の部材を組合せて構成したものを含む。その中で、台座１０は２個の相対する外側板及び底盤を結合して構成し、且つ台座１０の位置決め孔と外側板の円形凸状粒の相互嵌合により、その外側板は底盤上に折畳収合の機能を形成できる。且つ同台座１０の挿込槽構造設計は、２個の外隔離板を直接その上に設置させる。この設計により、同折畳式バーベキュー炉１はバーベキュー活動の用途に適い、同時に折畳収合の目的を達成し、且つ収納及び携帯を便利にする機能を兼備し、極めて優れた実用性と便利性を具える。【選択図】　図１
0003098356.tif 000002
【実用新案登録請求の範囲】
【請求項１】
台座・２個の外隔離板・火床・適切な鉄線材或は管材で代用使用可能な上枠及び網枠等の部材を組合せた折畳式バーベキュー炉であって、以下の構成からなることを特徴とする一種の折畳式バーベキュー炉。
台座は２個の相対する外側板及び底盤を結合して構成する。その中で、外側板の本体には若干の通し孔を排列設置し、中央の適当な箇所に数個のストッパー凸状粒を設ける。外側板の側辺に相対応する側翼を有する構造を形成して、それぞれ側翼表面の適当な箇所に円形凸状粒を設置する。また、底盤中央表面の外側板のストッパー凸状粒に対応する関係位置に受入孔を設け、それぞれ長側辺の内側に挿込槽を設ける。且つ２個の相対する長側辺の周辺にそれぞれ位置決め孔を設置する。　これにより、位置決め孔自体は外側板の円形凸状粒と相互に嵌合して、外側板を底盤上に折畳収合する機能を形成させる；
外隔離板の本体には若干の通し孔を排列設置し、台座の挿込槽上に直接挿し込むことができる。
【請求項２】
外隔離板の表面の適当な箇所に貫通孔を形成する設計にし、快速炉を設置して食物の煮炊き用途にも使用することを特徴とする請求項１記載の折畳式バーベキュー炉。
【考案の詳細な説明】
【０００１】
【考案の属する技術分野】
本考案は一種の折畳式バーベキュー炉（二）で、特に迅速な折畳収合ができ同時に携帯及び収納の便利な構造設計を指し、一般の戸外バーベキューレジャー活動に従事する時、更に実用的で便利な効果を提供する折畳式バーベキュー炉に関する。
【０００２】
【従来の技術】
現在は戸外レジャー活動が普遍的に重視されると同時に、キャンプ・旅行・バーベキュー及び戸外食事等の戸外活動では、バーベキューは既に不可欠の必須活動項目の一つになっている。日常の使用量の増加に伴い、各形式バーベキュー炉の構造設計及び機能の向上は常に日進月歩と言える。それ故、バーベキュー炉自体が迅速な折畳及び収合ができ、使用者の外出時の携帯及び収納使用を便利にすることは、今日の各形式バーベキュー炉の構造設計が普遍的に重視するものである。
【０００３】
【考案が解決しようとする課題】
このことに鑑み、本考案者は改良を考え、実務経験と不断の研究改良進歩を結合して、終に一種の『折畳式バーベキュー炉（二）』を考案し、更に便利性と実用性を具えたバーベキュー炉構造を提供した。本考案の設計により以下の考案目的を達成できる。
【０００４】
本考案設計の目的は、一種の折畳式バーベキュー炉（二）の提供で、その主要なものには、台座・２個の外隔離板・火床・上枠及び網枠等の部材を組合せて構成したものを含む。その中で、台座は２個の相対する外側板及び底盤を結合して構成し、且つ台座の位置決め孔と外側板の円形凸状粒は相互に嵌合い、その外側板は底盤上に折畳収合の機能を形成できる。且つ同台座の挿込槽構造設計は、２個の外隔離板を直接その上に設置させる。この設計により、同折畳式バーベキュー炉はバーベキュー活動の用途に適い、同時に折畳収合及び収納の便利な主要な目的を達成する。
【０００５】
【課題を解決するための手段】
本考案は一種の折畳式バーベキュー炉（二）に関するもので、主要なものは台座・２個の外隔離板・火床・上枠及び網枠等の部材を組合せて構成したものを含む。その中で、台座は２個の相対する外側板及び底盤を結合して構成し、且つ台座の位置決め孔と外側板の円形凸状粒の相互嵌合により、その外側板は底盤上に折畳収合の機能を形成できる。且つ同台座の挿込槽構造設計は、２個の外隔離板を直接その上に設置させる。この設計により、同折畳式バーベキュー炉はバーベキュー活動の用途に適い、同時に折畳収合の目的を達成し、且つ収納及び携帯を便利にする機能を兼備し、極めて優れた実用性と便利性を具える。
【０００６】
【考案の実施の形態】
本考案の構造の特徴及び特長を明確に説明する為に、添付図を利用して以下に詳細説明する：
先ず図１は本考案の折畳式バーベキュー炉（１）の立体分解図を示す。その主要なものは、台座（１０）・２個の外隔離板（２０）・火床（３０）・適切な鉄線材或は管材で代用使用可能な上枠（４０）及び網枠（５０）等の部材の組合せで構成してある。図２に示すように、同台座（１０）は２個の相対する外側板（１１）及び底盤（１２）を結合して構成してある。その中で、外側板（１１）の本体には若干の通し孔（１１１）を排列設置し、中央の適当な箇所に数個のストッパー凸状粒（１１２）を設ける。外側板（１１）の側辺に相対応する側翼（１１３）を有する構造を形成して、それぞれ側翼（１１３）表面の適当な箇所に円形凸状粒（１１４）を設置する。また、底盤（１２）中央表面の外側板（１１）のストッパー凸状粒（１１２）に対応する関係位置に受入孔（１２１）を設け、それぞれ長側辺（１２２）の内側に挿込槽（１２３）を設ける。且つ２個の相対する長側辺（１２２）の周辺にそれぞれ位置決め孔（１２４）を設置する。これにより、位置決め孔（１２４）自体は外側板（１１）の円形凸状粒（１１４）と相互に嵌合して、外側板（１１）を底盤（１２）上に折畳収合する機能を形成させる；また、外隔離板（２０）の本体には若干の通し孔（２１）を排列設置し、台座（１０）の挿込槽（１２３）上に直接挿し込むことができる。
【０００７】
本考案の全体構造の組成及び使用については、図１及び図３を参照して説明する。その中で、台座（１０）の挿込槽（１２３）はそれぞれ２個の外隔離板（２０）をその中に挿し込むのに供し、且つ台座（１０）の外側板（１１）上に設置したストッパー凸状粒（１１２）はその上に火床（３０）を置くことを提供する。また台座（１０）の外側板（１１）及び外隔離板（２０）の構造設計により、上枠（４０）は台座（１０）の上に直接設置でき、網枠（５０）自体は上枠（４０）構造の表面に直接置ける。この設計により、同折畳式バーベキュー炉（１）は使用者に戸外レジャーバーベキュー活動従事の用途を提供できる。
【０００８】
図４は本考案の同折畳式バーベキュー炉（１）を折畳収合する時の実施例図を示す。使用者は折畳式バーベキュー炉（１）を収合する時は、先ず網枠（５０）・上枠（４０）及び火床（３０）等の部材を順次取出し、台座（１０）の挿込槽（１２３）上の外隔離板（２０）を引き抜く。この時、使用者は外側板（１１）を底盤（１２）上に折畳み、同時に外側板（１１）上のストッパー凸状粒（１１２）を底盤（１２）の受入孔（１２１）内に合わせることができる。この設計により、台座（１０）は迅速に折畳収合でき、使用者の収納及び携帯を便利にし、且つ全体収合のステップ過程を相当簡単敏捷にし、使用者に効果的な外出携帯使用を提供する。
【０００９】
本考案の折畳式バーベキュー炉（１）に更に便利な機能を持たせるために、本考案は以下の各種不同型式の運用を行う：
１．　図５に示す如く、その台座（１０）の挿込槽（１２３）に単独で１個の外隔離板（２０）を挿し込み、台座（１０）の底盤（１２）上に１個の炉具（６０）を設置する。同時に台座（１０）の外側板（１１）及び外隔離板（２０）の構造設計により、上枠（４０）を台座（１０）の上に直接設置し、且つ外側板（１１）もまた底盤（１２）上に折畳収合の機能を形成する。この設計により、同折畳式バーベキュー炉（１）は食物の煮炊き用途にも使用でき、同時に折畳収合の主要目的を達成できる。
２．　図６に示す如く、同外隔離板（２０）の変形例として、表面の適当な箇所に貫通孔（２２１）を形成する外隔離板（２２）を設計する。この設計により、台座（１０）の底盤（１２）上に快速炉（８０）を設置することができ、自体は食物の煮炊き用途にも使用でき、同時に上に述べた如く折畳収合の主要目的を達成できる。
【００１０】
【考案の効果】
上に述べたことの綜合として、本考案の「折畳式バーベキュー炉（二）」は、迅速に折畳収合ができ、携帯及び収納を便利にする主要目的を効果的に達成し、一般の戸外バーベキューレジャー活動に従事する時、極めて優れた実用性と便利性を提供する。故に、本考案の設計は誠に１個の優良な考案であり、且つ本考案は前例を見ない設計で、新型特許の申請要件に符合しているので、ここに法に則り申請を提出する。
【図面の簡単な説明】
【図１】本考案の立体分解図である。
【図２】本考案の台座の立体分解図である。
【図３】本考案の組合断面図である。
【図４】本考案の台座折畳収合時の実施例図である。
【図５】本考案の第二の優れた実施例の立体分解図である。
【図６】本考案の第三の優れた実施例の立体分解図である。
【符号の説明】
（１）　　　折畳式バーベキュー炉　　　　　　　　　　　　　　　　　　　　（１０）　　　　台座
（１１）　　　外側板　　　　　　　　　　　　　　　　　　　　　　　　　　　　　　　　　　（１１１）　　　通し孔
（１１２）　　ストッパー凸状粒　　　　　　　　　　　　　　　　　　　　　　　　（１１３）　　　側翼
（１１４）　　円形凸状粒　　　　　　　　　　　　　　　　　　　　　　　　　　　　　　（１２）　　　　底盤
（１２１）　　受入孔　　　　　　　　　　　　　　　　　　　　　　　　　　　　　　　　　　（１２２）　　　長側辺
（１２３）　　挿込槽　　　　　　　　　　　　　　　　　　　　　　　　　　　　　　　　　　（１２４）　　　位置決め孔
（２０）　　　外隔離板　　　　　　　　　　　　　　　　　　　　　　　　　　　　　　　　（２１）　　　　通し孔
（２２１）　　貫通孔　　　　　　　　　　　　　　　　　　　　　　　　　　　　　　　　　　（３０）　　　　火床
（４０）　　　上枠　　　　　　　　　　　　　　　　　　　　　　　　　　　　　　　　　　　　（５０）　　　　網枠
（６０）　　　炉具　　　　　　　　　　　　　　　　　　　　　　　　　　　　　　　　　　　　（７０）　　　　快速炉
【図１】
0003098356.tif 000003
【図２】
0003098356.tif 000004
【図３】
0003098356.tif 000005
【図４】
0003098356.tif 000006
【図５】
0003098356.tif 000007
【図６】
0003098356.tif 000008